(57)【要約】【課題】生長した栽培植物がフロート板に接触することによる葉の変質を防止する技術を提供する。【解決手段】水耕栽培用ポットは、フロート板の挿着孔に嵌め込まれ、培地を収容する筒形状の収容体１１と、収容体１１の上部に連結され、挿着孔において収容体１１を支持すると共に、収容体から伸びる植物を支持する支持体１２とを有する。支持体１１は、上方が開口され、収容体１１との連結部分に形成された孔部１２ａを介して収容体１１の収容空間とつながっている。【選択図】図１
2014064522.tif 000002
【特許請求の範囲】
【請求項１】
フロート板の挿着孔に挿着される水耕栽培用ポットであって、
前記挿着孔に嵌め込まれ、培地を収容する筒形状の収容体と、
前記収容体の上部に連結され、前記挿着孔において前記収容体を支持すると共に、前記収容体から伸びる植物を支持する支持体と、
を備える水耕栽培用ポット。
【請求項２】
前記収容体は、多角形の角柱形状を有する、請求項１に記載の水耕栽培用ポット。
【請求項３】
前記収容体は、その側壁に形成される１又は複数の窓部を有する、請求項１又は２に記載の水耕栽培用ポット。
【請求項４】
前記支持体は、前記フロート板に挿着された際に前記フロート板の上面に対して略水平となる遮光部を有する、請求項１から３のいずれか一項に記載の水耕栽培用ポット。
【請求項５】
前記遮光部は、多角形の形状を有する板状部材を有し、
前記支持体は、前記板状部材の上部に連結され、前記多角形の筒形状を有する支持部を有する、請求項４に記載の水耕栽培用ポット。
【請求項６】
前記支持部は、その側壁に１又は複数の通気孔を有する、請求項５に記載の水耕栽培用ポット。
【請求項７】
前記支持体は、前記水耕栽培用ポットを前記挿着孔に着脱するためのアームを受け止めるアーム受部を有する、請求項１から６のいずれか一項に記載の水耕栽培用ポット。
【請求項８】
前記アーム受部は、前記支持体の底面側に形成された凹部を有する、請求項７に記載の水耕栽培用ポット。
【請求項９】
前記アーム受部は、前記挿着孔に挿着された際に前記フロート板の上面に対して略水平となる鍔部を前記支持体の上端に有する、請求項７に記載の水耕栽培用ポット。
【請求項１０】
請求項１から９のいずれか一項に記載の水耕栽培用ポットと、
前記水耕栽培用ポットを挿着する挿着孔を有するフロート板と、
を備える、水耕栽培装置。
【発明の詳細な説明】
【技術分野】
【０００１】
本発明は、水耕栽培用ポット及びそれを備える水耕栽培装置に関し、特に、水耕栽培用ポットの構造に関する。
【背景技術】
【０００２】
近年、植物工場で水耕栽培された葉物野菜等の植物が流通されている。植物工場での栽培は、天候に左右されることなく安定した栽培を行うことができる等のメリットがあり、水耕栽培に関する様々な技術が提案されている。下記特許文献１には、植物の生長段階に応じた水分供給を行うことで、水耕栽培に要するコストを低減し、効率良く植物を栽培する方法が開示されている。特許文献１では、植物の生長段階に応じて根の発達が変化するため、フロートに設置される容器毎に、根が発達する中間スペースが独立して形成されている。そして、各中間スペースの下側は全中間スペースにつながる共有空間となっている。各中間スペースの下側の共有空間にある量の水が供給されると、各中間スペースに一定の水が供給される。
【先行技術文献】
【特許文献】
【０００３】
【特許文献１】国際公開ＷＯ２０１０／０９３２４８号公報
【発明の概要】
【発明が解決しようとする課題】
【０００４】
ところで、水耕栽培用の容器は一定の間隔で水耕栽培用のフロート板に設けられた孔部に固定されるが、レタス等の葉は生長するに従って容器の外側に広がり、その重みによってフロート板上面に垂れ下り、葉が変質する場合がある。
【０００５】
本発明は、生長した栽培植物がフロート板に接触することによる葉の変質を防止する技術を提供することを目的とする。
【課題を解決するための手段】
【０００６】
本発明による水耕栽培用ポットは、フロート板の挿着孔に挿着される水耕栽培用ポットであって、前記挿着孔に嵌め込まれ、培地を収容する筒形状の収容体と、前記収容体の上部に連結され、前記挿着孔において前記収容体を支持すると共に、前記収容体から伸びる植物を支持する支持体とを備える。本発明の構成によれば、フロート板上方に生長した植物は支持体によって支えられるため、生長した植物がフロート板に接触しにくくなり、葉の変質を防止することができる。
【０００７】
また、上記水耕栽培用ポットにおいて、前記収容体は、多角形の角柱形状を有することとしてもよい。本構成によれば、例えばテーパー形状を有する円筒形の収容体と比べ、フロート板の挿着孔において収容体が回転したり傾いたりする等の不安定な状態になりにくく、より安定した状態に維持することができる。
【０００８】
また、上記水耕栽培用ポットにおいて、前記収容体は、その側壁に形成される１又は複数の窓部を有することとしてもよい。本構成によれば、収容体の内部に水分や酸素、水に含まれる栄養素が行きわたりやすくなり、植物の生長を促進させることができる。
【０００９】
また、上記水耕栽培用ポットにおいて、前記支持体は、前記フロート板に挿着された際に前記フロート板の上面に対して略水平となる遮光部を有することとしてもよい。本構成によれば、フロート板の上面に対して略水平となるように支持体の遮光部が形成されているため、フロート板の下方に光が当たることで藻等が発生する水質悪化を防止することができる。
【００１０】
また、上記水耕栽培用ポットにおいて、前記遮光部は、多角形の形状を有する板状部材を有し、前記支持体は、前記板状部材の上部に連結され、前記多角形の筒形状を有する支持部を有することとしてもよい。本構成によれば、遮光部の上方において生長した植物は支持部で支えられるため、生長した植物がフロート板の上面に接触しにくくすることができる。
【００１１】
また、上記水耕栽培用ポットにおいて、前記支持部は、その側壁に１又は複数の通気孔を有することとしてもよい。本構成によれば、支持部の側面方向の通気性が向上するため、生長した植物に生じる湿気を抑制することができる。
【００１２】
また、前記支持体は、上記水耕栽培用ポットを前記挿着孔に着脱するためのアームを受け止めるアーム受部を有することとしてもよい。本構成によれば、水耕栽培用ポットを挿着孔に着脱する装置のアームを受け止めることができるので、水耕栽培用ポットを挿着孔に容易に着脱することができる。
【００１３】
また、上記水耕栽培用ポットにおいて、前記アーム受部は、前記支持体の底面側に形成された凹部を有することとしてもよい。
【００１４】
また、上記水耕栽培用ポットにおいて、前記アーム受部は、前記挿着孔に挿着された際に前記フロート板の上面に対して略水平となる鍔部を前記支持体の上端に有することとしてもよい。
【００１５】
本発明に係る水耕栽培装置は、上記いずれかの水耕栽培用ポットと、前記水耕栽培用ポットを挿着する挿着孔を有するフロート板と、を備える。本発明の構成によれば、フロート板上方に生長した植物は支持部によって支えられるため、生長した植物がフロート板に接触しにくくなり、葉の変質を防止することができる。
【図面の簡単な説明】
【００１６】
【図１】図１は、第１実施形態に係る水耕栽培装置に用いられる水耕栽培用ポットを表す斜視図である。
【図２】図２は、第１実施形態に係る水耕栽培装置に用いられるフロート板を上面から見た平面図である。
【図３】図３は、図１に示す水耕栽培用ポットを上面から見た平面図である。
【図４】図４は、図１に示す水耕栽培用ポットの側面図である。
【図５】図５は、図３におけるＩ−Ｉの切断面を表す断面図である。
【図６】図６は、第１実施形態の水耕栽培用ポットがフロート板に挿着された状態を側面方向から見た図である。
【図７】図７は、第１実施形態に係る水耕栽培用ポットの凹部にアームが差し込まれた状態を表す図である。
【図８】図８は、第２実施形態に係る水耕栽培用ポットを表す斜視図である。
【図９】図９は、図８に示す水耕栽培用ポットを上面から見た平面図である。
【図１０】図１０は、図８に示す水耕栽培用ポットの側面図である。
【図１１】図１１は、図９におけるＩＩ−ＩＩ線の切断面を表す断面図である。
【図１２】図１２は、第２実施形態の水耕栽培用ポットがフロート板に挿着された状態を側面方向から見た図である。
【図１３】図１３は、第２実施形態に係る水耕栽培用ポットの凹部にアームが差し込まれた状態を表す図である。
【図１４】図１４は、変形例（１）に係る水耕栽培用ポットを上面から見た平面図である。
【図１５】図１５は、変形例（５）に係る水耕栽培用ポットを表す斜視図である。
【図１６】図１６は、変形例（６）に係る水耕栽培用ポットを上面から見た平面図である。
【図１７Ａ】図１７Ａは、変形例（７）に係る水耕栽培用ポットの側面図である。
【図１７Ｂ】図１７Ｂは、変形例（７）に係る水耕栽培用ポットの側面図である。
【発明を実施するための形態】
【００１７】
以下、図面を参照し、本発明の実施の形態を詳しく説明する。図中同一又は相当部分には同一符号を付してその説明は繰り返さない。
【００１８】
＜第１実施形態＞
図１は、本実施形態に係る水耕栽培装置に用いられる水耕栽培用ポットの外観を表す斜視図である。本実施形態における水耕栽培用ポット１Ａは、例えば、レタス等の葉物野菜の水耕栽培に用いられる。また、図２は、本実施形態に係る水耕栽培装置に用いられるフロート板を上面から見た平面図である。
【００１９】
フロート板２は、水耕栽培の水面上に設けられる。図２に示すように、フロート板２には、水耕栽培用ポット１Ａを挿着するための複数の挿着孔２ａが一定の間隔で形成されている。フロート板２は、本実施形態において、例えば合成樹脂にガスを分散させて多孔質形状にした発砲スチロール等の水耕栽培用の水に対して浮力を有する素材で構成されている。なお、フロート板２としては、内部が中空であり、側面がプラスチック等の樹脂で形成され、水耕栽培用の水に対して浮力を有するものであってもよい。
【００２０】
水耕栽培用ポット１Ａは、図１に示すように、収容体１１と支持体１２とを有する。水耕栽培用ポット１Ａの収容体１１の部分は挿着孔２ａに嵌め込まれ、支持体１２はフロート板２の上面において収容体１１を支持する。以下、水耕栽培用ポット１Ａの詳細について説明する。
【００２１】
図３は、図１に示す水耕栽培用ポット１Ａを上面から見た平面図である。図４は、図１に示す水耕栽培用ポット１Ａの側面図である。図５は、図３におけるＩ−Ｉの切断面を表す断面図である。本実施形態では、収容体１１は、上面と下面に上面開口部１１２ａ、下面開口部１１１ａ（図５参照）が形成された略直方体の筒形状を有し、培地を収容する収容空間を内部に有する。また、図４及び図５に示すように、収容体１１の各側面には矩形状の窓部１１ｂが形成されている。本実施形態では、培地として、例えば、ポリウレタン等の樹脂で形成されたウレタン培地やロックウール培地等、保水性を有し、収容空間に収容できるように成形された培地が用いられる。
【００２２】
図１に示すように、支持体１２は、収容体１１の上面開口部１１２ａにおいて連結されている。支持体１２は、遮光部１２１と支持部１２２とを有する。遮光部１２１は、図１及び図３に示すように、８つの辺Ａ〜Ｈからなる八角形の形状を有する板状部材で構成され、収容体１１との連結部分において、収容体１１の上面開口部１１２ａと略同じ大きさの孔部１２ａを有する。
【００２３】
支持部１２２は、遮光部１２１の各辺（Ａ〜Ｈ）を囲うように枠体１２２Ａ〜１２２Ｈを連結した略八角形の筒形状を有する。各枠体１２２Ａ〜１２２Ｈは、図４等に示すように、通気窓１２ｂ（通気孔）を有する。また、支持部１２２の各枠体１２２Ａ〜１２２Ｈは、図４に示すように、遮光部１２１の上面（表面）からの高さが略同じ高さＴ１となるように構成されている。また、支持部１２２の各枠体１２２Ａ〜１２２Ｈは、遮光部１２１の下面（裏面）からの高さが隣り合う枠体と異なるように構成されている。本実施形態においては、図３に示す辺Ａ〜Ｈのうち、辺Ｂ，Ｄ，Ｆ，Ｈにおける枠体１２２Ｂ，１２２Ｄ，１２２Ｆ，１２２Ｈにおいて、遮光部１２１の下面側に突出した突起部１２２ａを有する。従って、図４及び図５に示すように、支持体１２は、遮光部１２１の下面側において、支持部１２２に形成された各突起部１２２ａの間の辺Ａ，Ｃ，Ｅ，Ｇの部分に凹部１２ｃを有する。
【００２４】
つまり、支持体１２は、遮光部１２１の孔部１２ａを介して収容体１１における収容空間とつながり、生長した植物を支持部１２２において支持する中空空間を有し、遮光部１２１の下面側において２組の向かい合う辺の部分に４つの凹部１２ｃを有する。
【００２５】
ここで、フロート板２の挿着孔２ａに水耕栽培用ポット１Ａが挿着された状態を側面方向から見た図を図６に示す。図６に示すように、収容体１１の幅Ｈ１１は、フロート板２の挿着孔２ａの幅ｈ１より小さく、支持体１２の幅Ｈ１２は、挿着孔２ａの幅ｈ１より大きくなっている。つまり、収容体１１の断面積は挿着孔２ａの面積より小さく、支持体１２の断面積は挿着孔２ａの面積より大きく構成されており、収容体１１は、挿着孔２ａにおいて支持体１２によって支持されている。
【００２６】
また、図６に示すように、本実施形態では、収容体１１における窓部１１ｂは、遮光部１２１の下面から高さＨ２に位置しており、高さＨ２はフロート板２の厚さｈ２より大きく設定されている。これにより、収容体１１の窓部１１ｂは、フロート板２の下面より下側に配置される。従って、収容体１１において窓部１１ｂより上方で生長する植物の株本は水に曝されることなく、窓部１１ｂの植物の根の部分が水に曝されるように収容体１１が固定される。その結果、窓部１１ｂから植物の根の部分に水や、水に含まれる栄養素が入りやすくなり、植物の生長を促進させることができる。
【００２７】
また、培地が収納される収容体１１の収容空間は略直方体の形状を有するため、培地が略均一に収納される。つまり、例えば下方の断面積が上方の断面積より小さくなっているテーパー形状の収容空間の場合には、下方に収納される培地は上方に収納される培地によって圧縮され、収容空間において培地を均一に収納することができない。その場合、植物の根が下方に伸びにくくなり、植物の生長に影響を及ぼす。これに対し、本実施形態では、収容体１１の収容空間の上方と下方の断面積が略同じであるため、下方の培地が圧縮されにくく、植物の根の生長が妨げられない。また、水耕栽培用ポット１Ａの収容体１１の収容空間は略直方体の形状を有するため、例えば複数の水耕栽培用ポット１Ａを水中に入れて洗浄した場合でも水耕栽培用ポット１Ａが互いに重ね合わされず、洗浄作業が効率化される。また、収容体１１は略直方体の形状を有するため、円筒形状の場合と比べて挿着孔２ａにおいて回転したり傾きにくく、安定した状態に収容体１１を維持することができる。
【００２８】
また、フロート板２に水耕栽培用ポット１Ａが挿着された状態において、支持体１２の遮光部１２１は、図６に示すように、フロート板２の上面に対して略水平に配置される。遮光部１２１の裏面とフロート板２の上面との間には突起部１２２ａの高さ分だけ隙間が形成されているが、挿着孔２ａの近傍において、自然光やＬＥＤ等の光は遮光部１２１によって遮光される。そのため、挿着孔２ａから光が入り込みにくくなり、フロート板２下の水中で光合成による藻の発生を抑制することができる。
【００２９】
また、支持体１２の支持部１２２はフロート板２の上面から一定の高さに形成されているため、支持体１２の孔部１２ａから伸びる植物は、支持部１２２の中空空間によって支えられる。これにより、支持部１２２の外側に植物の葉が広がったとしても、フロート板２の上面に葉が接触しにくいため、葉の変質が抑制される。
【００３０】
支持部１２２が設けられていない場合には、生長した植物の葉とフロート板２とが重なり合うため、植物の葉とフロート板２との間に湿気が発生し、植物の葉が変質する原因となる。本実施形態では、支持部１２２によって生長した植物の葉が支えられることで、支持部１２２の外側に広がった植物の葉とフロート板２とが直接重ならないため、植物の葉とフロート板２との間の湿気が抑制される。さらに、本実施形態では、支持体１２の側面に通気窓１２ｂを有するため通気性が向上し、植物の葉の変質が抑制される。
【００３１】
また、挿着孔２ａへの水耕栽培用ポットの取り付けや取り外しを行う装置（以下、着脱装置と称する）を用いて水耕栽培用ポット１Ａをフロート板２に着脱する場合、例えば、図７に示すように、図中のｘ軸又はｙ軸方向から、支持体１２における遮光部１２１の裏面側に形成されている凹部１２ｃに着脱装置のアーム３を差し込んで持ち上げることができる。つまり、アーム受部として機能する凹部１２ｃによってアーム３は受け止められる。そのため、支持体１２における遮光部１２１の裏面側に凹部１２ｃが形成されていない場合と比べて、挿着孔２ａにおける水耕栽培用ポット１Ａの着脱を容易に行うことができる。また、水耕栽培用ポット１Ａで栽培される植物の生長過程に応じて、挿着孔２ａの間隔が異なる他のフロート板に水耕栽培用ポット１Ａを移植する場合の作業効率を向上させることができる。
【００３２】
＜第２実施形態＞
図８は、本実施形態に係る水耕栽培用ポットの外観を表す斜視図である。図９は、図８に示す水耕栽培用ポット１Ｂを上面から見た平面図である。図１０は、水耕栽培用ポット１Ｂの側面図である。図１１は、図９におけるＩＩ−ＩＩ線の切断面を表す断面図である。本実施形態に係る水耕栽培用ポット１Ｂは、上述した第１実施形態と同様、フロート板２の挿着孔２ａに挿着される。以下、水耕栽培用ポット１Ｂの詳細について説明する。
【００３３】
水耕栽培用ポット１Ｂは、図８に示すように、培地を収容する収容体２１と、収容体２１をフロート板２の上面において支持する支持体２２とを有する。収容体２１は、図８に示すように、略直方体形状を有する。また、図１１に示すように、収容体２１は、上面と下面に矩形状の下面開口部２１１ａ及び上面開口部２１２ａを有し、培地を収容する収容空間を内部に有する。また、図８及び図１１等に示すように、収容体２１は、各側面に８つの矩形状の窓部２１ｂを有する。
【００３４】
支持体２２は、図８及び図１１等に示すように、収容体２１の上端に連結され、遮光部２２１と支持部２２２とを有する。遮光部２２１は、矩形状の板状部材で構成され、収容体２１の上面開口部２１２ａにおいて連結されている。遮光部２２１は、図１０に示すように、収容体２１の幅Ｓ１より大きい幅Ｓ２に設定されている。また、遮光部２２１は、収容体２１との連結部分において、収容体２１の上面開口部２１２ａと略同じ大きさの孔部（図示略）を有する。
【００３５】
図８及び図１０等に示すように、支持部２２２は、角柱部材２２２Ａと板状部材２２２Ｂとを有する。角柱部材２２２Ａは、上面と下面が開口された四角形の筒形状を有し、遮光部２２１の孔部において連結されている。角柱部材２２２Ａは、図１０及び図１１に示すように、収容体２１と略同じ幅Ｓ１に構成されている。
【００３６】
板状部材２２２Ｂは、図１０及び図１１に示すように、角柱部材２２２Ａの上面の開口部（図示略）において遮光部２２１と略平行となるように連結されている。板状部材２２２Ｂは、角柱部材２２２Ａの上面の開口部（図示略）において、その開口部と略同じ大きさの孔部２２ａを有する。従って、図１１に示すように、支持体２２は、支持部２２の板状部材２２２Ｂに設けられた孔部２２ａから収容体２１との連結部分まで貫通する中空空間２２ｂを有し、収容体２１の収容空間とつながっている。また、本実施形態では、図１０等に示すように、角柱部材２２２Ａより板状部材２２２Ｂがせり出している。角柱部材２２２Ａの上端からせり出した部分Ｐが鍔部であり、アーム受部として機能する。
【００３７】
ここで、図２のフロート板２における挿着孔２ａに水耕栽培用ポット１Ｂが挿着された状態を側面方向から見た図を図１２に示す。図１２に示すように、収容体２１の幅Ｓ１は、フロート板２の挿着孔２ａの幅ｈ１より小さく、支持体２２における遮光部２２１の幅Ｓ２は、挿着孔２ａの幅ｈ１より大きくなっている。つまり、収容体２１の断面積は挿着孔２ａの面積より小さく、支持体２２の遮光部２２１の面積は挿着孔２ａの面積より大きく構成されており、収容体２１は、挿着孔２ａにおいて支持体２２によって支持されている。
【００３８】
図１２に示すように、本実施形態では、収容体２１は、各側面に複数の窓部２１ｂを有する。そのため、収容体２１内部の植物の根の部分に、水や酸素、水に含まれる栄養素が窓部２１ｂから取り込みやすくなり、植物の生長を促進させることができる。
【００３９】
また、第１実施形態と同様、収容体２１の収容空間は略直方体の形状である。そのため、テーパー形状の収容空間の場合と比べて培地が略均一に収納され、植物の根の生長が妨げられない。また、複数の水耕栽培用ポット１Ｂを水中に入れて洗浄する場合でも水耕栽培用ポット１Ｂが互いに重ね合わされず、洗浄作業が効率化される。また、収容体２１は略直方体の形状を有するため、円筒形状の場合と比べて挿着孔２ａにおいて回転したり傾きにくく、収容体２１を安定した状態に維持することができる。
【００４０】
また、図１２に示すように、遮光部２２１はフロート板２の上面に対して略水平となっており、フロート板２の上面と接触している。そのため、フロート板２全体に照射される自然光やＬＥＤ等の光は遮光部２２１により遮光され、フロート板２下への光の入射が妨げられる。その結果、水中での光合成が抑制され、藻等が発生する水質悪化を防止することができる。
【００４１】
また、収容体２１の上面開口部２１２ａから支持体２２内の中空領域２２ｂに向かって伸びる植物の葉は支持体２２によって支えられる。また、支持体２２の板状部材２２２Ｂから外側に植物が広がったとしても、板状部材２２２Ｂによって葉を受けることができる。その結果、生長した植物の葉がフロート板２の上面に接触しにくくなり、葉の変質を抑制することができる。
【００４２】
また、着脱装置を用いて水耕栽培用ポット１Ｂを挿着孔２ａに着脱する場合、例えば、図１３に示すように、支持体２２の板状部材２２２Ｂにおける鍔部Ｐと遮光部２２１との間に形成されている凹部にアーム３を挿入することで、水耕栽培用ポット１Ｂを容易に持ち上げることができる。また、水耕栽培用ポット１Ｂで栽培される植物の生長過程に応じて、挿着孔２ａの間隔が異なる他のフロート板に水耕栽培用ポット１Ｂを移植する場合の作業効率を向上させることができる。
【００４３】
＜変形例＞
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。以下、本発明の変形例について説明する。
【００４４】
（１）上述した第１実施形態では、支持体１２が略八角形の角柱形状を有する例を説明したが、支持体１２の形状はこれに限定されない。例えば、遮光部１２１が六角形や十角形等の対称性を有する多角形の形状を有し、支持部１２２が、その多角形の筒形状で構成されていてもよい。図１４は、支持体１２が六角形の角柱形状を有する場合の水耕栽培用ポットの上面を例示した平面図である。この例では、遮光部３２１は六角形の板状部材を有する。また、支持部３２２は、遮光部３２１の各辺を囲う枠体３２２Ａ〜３２２Ｆを有する。遮光部３２１の裏面側において、枠体３２２Ａ〜３２２Ｆのうち、枠体３２２Ｆと３２２Ｃに突起部１２２ａを有することとしてもよい。従って、この場合には、支持体１２は、枠体３２２Ｆと枠体３２２Ｃの間に形成された凹部がアーム受部として機能する。
【００４５】
（２）上述した第２実施形態における遮光部２２１は、矩形形状を有する例を説明したが、六角形や八角形等の多角形の形状でもよいし、円形形状でもよい。この場合、支持部２２２の板状部材２２２Ｂは、遮光部２２１の形状と同様の形状を有することとしてもよい。
【００４６】
（３）上述した第１実施形態の収容体１１は、各側面に矩形状の窓部１１ｂを１つずつ有する例を説明した。また、上述した第２実施形態の収容体２１は、各側面に矩形状の窓部２１ｂを８つずつ有する例について説明した。本変形例では、これら収容体１１、２１の窓部１１ｂ、２１ｂを以下のように構成してもよい。収容体１１、２１の各側面に有する窓部１１ｂ、２１ｂの数は第１実施形態及び第２実施形態で例示した数に限定されない。つまり、収容体１１において、各側面に複数の窓部１１ｂを同じ数だけ有することとしてもよい。また、収容体２１において、各側面に窓部２１ｂを一つずつ有することとしてもよい。また、収容体１１、２１において、側面毎に異なる数の窓部１１ｂ、２１ｂを有することとしてもよい。
【００４７】
更に、収容体１１、２１において、窓部１１ｂ、２１ｂの形状は矩形形状に限らず、例えば円形や多角形等、任意の形状であってもよい。また、窓部１１ｂ、２１ｂは、全て同じ大きさでもよいし、各々異なる大きさでもよい。また、収容体１１、２１は、各側面に窓部１１ｂ、２１ｂを有していなくてもよい。
【００４８】
（４）上述した第１実施形態及び第２実施形態では、収容体１１、２１は、略直方体の形状を有する例を説明したが、例えば五角形や六角形等の多角形の角柱形状であってもよい。
【００４９】
（５）上述した第１実施形態の支持体１２は、支持部１２２の側面毎に１つの通気窓１２ｂを有する例を説明したが、以下のように構成してもよい。例えば図１５に示すように、支持体４２の支持部４２２は、通気窓を有していない側壁４２２Ａ〜４２２Ｈを連結して構成されていてもよい。また、各側面に複数の通気窓を有してもよいし、各側面をメッシュ状に形成して通気孔を有するように構成してもよい。
【００５０】
（６）上述した第２実施形態の支持部２２２は、角柱部材２２２Ａの上端から板状部材２２２ｂがせり出した部分Ｐが鍔部として機能する例であったが、以下のように構成してもよい。図１６は、本変形例に係る水耕栽培用ポット１Ｃを上面から見た図である。図１６に示すように、本変形例では、支持部２２２における角柱部材２２２Ａの上端の４辺に矩形状の鍔部２２２Ｃが遮光部２２１と略平行となるように連結されている。このように構成した場合でも、第２実施形態と同様、支持体２２の外側に広がった植物の葉は鍔部２２２Ｃで受けることができるため、フロート板２の上面に生長した葉が接触しないようにすることができる。また、これら鍔部２２２Ｃと遮光部２２１との間に凹部（図示略）が形成されるため、上述した着脱装置のアーム３部分を各凹部に差し込み、水耕栽培用ポット１Ｃを移動させることができる。
【００５１】
なお、上記した例では、全ての辺に独立した鍔部２２２Ｃを有するが、対向する２辺だけに鍔部２２２Ｃを有することとしてもよい。図１６に示したように全ての辺に鍔部２２２Ｃを有する場合には、図１６のｘ軸方向とｙ軸方向の両方向から凹部に着脱装置のアーム３を差し込むことができるが、対向する２辺だけに鍔部２２２Ｃを有する場合には、ｘ軸方向又はｙ軸方向のいずれか一方にだけアーム３を差し込むことになる。そのため、この場合には図１６の場合と比べて利便性が低下するが、全ての辺に鍔部２２２Ｃを設ける必要がなく、水耕栽培用ポット１Ｃの製造コストを抑えることができる。
【００５２】
（７）上述した第１実施形態において、支持体１２の支持部１２２を構成する各枠体は、遮光部１２１の裏面側の高さが隣り合う枠体と異なるように突起部１２２ａを有する例を説明したが、突起部１２２ａを有していなくてもよい。図１７Ａは、本変形例に係る水耕栽培用ポット１Ｄの側面図である。図１７Ａに示すように、遮光部１２１の裏面側の高さは支持部５２２の各枠体において略同じである。つまり、支持体５２において、アーム受部として機能する凹部１２ｃが遮光部１２１の裏面側に形成されていなくてもよい。
【００５３】
また、上述した第２実施形態において、支持体２２の支持部２２２は、角柱部材２２２Ａと板状部材２２２Ｂとを有する例を説明したが、以下のように構成してもよい。図１７Ｂは、本変形例に係る水耕栽培用ポットの側面図である。図１７Ｂに示すように、水耕栽培用ポット１Ｅにおいて、支持体６２の支持部６２２は、角柱部材２２２Ａだけを有する。このように構成した場合でも、遮光部２２１の孔部（図示略）から伸びる植物を支持部６２２における角柱部材２２２Ａによって支持することができるため、フロート板２の上面に植物の葉が接触することによる葉の変質が抑制される。
【符号の説明】
【００５４】
１Ａ，１Ｂ，１Ｃ，１Ｄ，１Ｅ…水耕栽培用ポット
２…フロート板
２ａ…挿着孔
３…アーム
１１，２１…収容体
１１１ａ，２１１ａ…下面開口部
１１２ａ，２１２ａ…上面開口部
１２，２２，３２，４２，５２，６２…支持体
１１ｂ,２１ｂ…窓部
１２ａ，２２ａ…孔部
１２ｂ…通気窓（通気孔）
１２ｃ…凹部
２２ｂ…中空領域
１２１，２２１，３２１…遮光部
１２２，２２２，３２２，４２２，５２２，６２２…支持部
１２２Ａ〜１２２Ｈ，３２２Ａ〜３２２Ｆ…枠体
４２２Ａ〜４２２Ｈ…側壁
１２２ａ…突起部
２２２Ａ…角柱部材
２２２Ｂ…板状部材
Ｐ，２２２Ｃ…鍔部
【図１】
2014064522.tif 000003
【図２】
2014064522.tif 000004
【図３】
2014064522.tif 000005
【図４】
2014064522.tif 000006
【図５】
2014064522.tif 000007
【図６】
2014064522.tif 000008
【図７】
2014064522.tif 000009
【図８】
2014064522.tif 000010
【図９】
2014064522.tif 000011
【図１０】
2014064522.tif 000012
【図１１】
2014064522.tif 000013
【図１２】
2014064522.tif 000014
【図１３】
2014064522.tif 000015
【図１４】
2014064522.tif 000016
【図１５】
2014064522.tif 000017
【図１６】
2014064522.tif 000018
【図１７Ａ】
2014064522.tif 000019
【図１７Ｂ】
2014064522.tif 000020